(57)【要約】【課題】  機密原稿のコピー出力物に機密情報であることを示す情報を、漏れなく付加する。【解決手段】  画像読み込み手段にセットされた原稿が機密原稿かどうかを判定する、機密原稿検知判定手段と、前記画像形成手段によるプリント出力に対して、該プリント出力が機密情報であることをしめす識別情報を付加する、機密識別情報付加手段と、原稿読み込み動作時、前記機密原稿検知判定手段によって機密原稿であることを検知した場合、前記ユーザインターフェイス手段を、出力に対して機密情報であることを示す情報を付加する機密出力設定モードに自動的に遷移させ、該設定に基づいてプリント出力に機密識別情報を付加する制御手段とを具備したことを特徴とする。【選択図】        図５
2006253989.tif 000002
【特許請求の範囲】
【請求項１】
原稿画像を読み込み、電子化した画像データとして格納可能な、画像読み込み手段と、
画像データをメディア上に画像形成し、プリント出力可能な画像形成手段と、
ユーザからの装置に対する動作の設定、指示を受け付けるユーザインターフェイス手段と、
画像読み込み手段にセットされた原稿が機密原稿かどうかを判定する、機密原稿検知判定手段と、
前記画像形成手段によるプリント出力に対して、該プリント出力が機密情報であることをしめす識別情報を付加する、機密識別情報付加手段と、
原稿読み込み動作時、前記機密原稿検知判定手段によって機密原稿であることを検知した場合、前記ユーザインターフェイス手段を、出力に対して機密情報であることを示す情報を付加する機密出力設定モードに自動的に遷移させ、該設定に基づいてプリント出力に機密識別情報を付加する制御手段とを具備したことを特徴とする、画像処理装置。
【請求項２】
前記機密原稿検知判定手段は、原稿メディアに埋め込まれた不揮発性メモリデータを読み出し、該データを解析することで機密原稿か否かを判定することを特徴とする、請求項１に記載の画像処理装置。
【請求項３】
前記機密原稿検知判定手段は、原稿画像に付加された電子透かし情報を解析することで機密原稿か否かを判定することを特徴とする、請求項１に記載の画像処理装置。
【請求項４】
前記ユーザインターフェイス手段は、前記機密出力設定モードにおいて、
（１）プリント出力メディアが具備する記憶手段への機密情報書きこみ
（２）プリント出力データへ機密原稿であることを示す、電子すかし情報付加
（３）プリント出力画像に機密原稿を示す、ウオーターマーク付加
のいずれか、あるいは組み合わせで選択させることを特徴とする、請求項１乃至３いずれかに記載の画像処理装置。
【請求項５】
前記ユーザインターフェイス手段は、装置本体に具備された操作パネルであることを特徴とする、請求項１乃至４いずれかに記載の画像処理装置。
【請求項６】
前記ユーザインターフェイス手段は、装置とネットワーク接続されたホストから装置に対して動作、設定指示可能なリモートリモートアクセス機能であることを特徴とする、請求項１乃至４いずれかに記載の画像処理装置。
【発明の詳細な説明】
【技術分野】
【０００１】
本発明は、原稿を読み込みコピー出力が可能な画像処理装置に関する。
【背景技術】
【０００２】
原稿を光学的に読み込み、コピープリント出力可能な複写機は、一部の原稿から簡単に任意数のコピー出力が可能でユーザに大きな利便性を提供しており、今日企業オフィス、官公庁、教育機関、またコンビニエンスストアなどにおいて欠かすことができない機器となっている。
【０００３】
しかし、原稿を簡単に複写可能という利便性の反面、機密情報を含む原稿までも容易に複写可能でもある。機密情報を含む書類の原本については、物理的な所在が厳重に管理され、紛失・改ざんなどに対する保護がとられるのが一般的であり、機密情報書類の原本については、定期的にその所在、内容をチェックする、あるいは物理的に施錠され適当な権限を与えられた人物のみ入出可能な書庫にて保管する、などの手段によって機密書類原本の流出、改ざんなどに対して現実的な保護を行うことができる。
【０００４】
しかし、上記のような機密書類の原本の所在、内容のチェックを定期的に行う方法では、機密書類を複写機にてコピーして原本は元の保管場所に返し、そのコピー出力物を持ち出すような悪意ある行動が行われ、コピーされたプリント出力物が一旦外部に持ち出されると、部外者にとってその出力物が機密情報であるかどうかさえも判定困難である。
【０００５】
このような機密文書のコピーにおける機密情報保護の問題については、特許文献１では機密原稿のコピー時に、出力物に対して機密情報を付加する設定を選択可能としている。また、特許文献２では原稿自体に機密情報であることを示す機密レベル情報を持たせ、その機密レベル以上の権限を持つユーザにのみコピーを許可するよう複写機を制御する方法が発明されている。
【０００６】
しかしながら、特許文献１でのユーザが機密コピーモードを選択する構成では、複写機自体が出力物に対して機密情報であることを示す情報を付加する手段を具備していたとしても、ユーザがその設定を行わなかった場合、機密であることを示す情報が付加されないままコピー出力が可能であり、出力物が機密情報かどうかの判定不可能となる問題があった。また特許文献２の構成においては、コピー自体は正当な権限を持ったユーザにのみ許可されるものの、そのコピー出力物については機密文書であることを示す情報が付加されないものとなり、機密情報かどうかの判定が困難になるという同様の問題が生じていた。
【特許文献１】特開平０７−１５４６１７号公報
【特許文献２】特開２００１−１６０１１７号公報
【発明の開示】
【発明が解決しようとする課題】
【０００７】
前記問題が示すように、原稿が機密情報であった場合は必ずコピー出力物に機密を示す情報を付加する必要がある、という課題があった。
【０００８】
本発明は、以上の点に着目して成されたもので、機密原稿をコピーする場合必ずコピー出力に対して機密を示す機密識別情報を付加させるよう自動で操作画面を切り換えることで、機密原稿のコピー出力物についても機密情報であることを示す機密識別情報を、漏れなく付加することができる画像処理装置を提供することを目的とする。
【課題を解決するための手段】
【０００９】
かかる課題を解決するための第一の手段は、原稿画像を読み込み、電子化した画像データとして格納可能な、画像読み込み手段と、画像データをメディア上に画像形成し、プリント出力可能な画像形成手段と、ユーザからの装置に対する動作の設定、指示を受け付けるユーザインターフェイス手段と、画像読み込み手段にセットされた原稿が機密原稿かどうかを判定する、機密原稿検知判定手段と、前記画像形成手段によるプリント出力に対して、該プリント出力が機密情報であることをしめす識別情報を付加する、機密識別情報付加手段とを備え、原稿読み込み動作時、前記機密原稿検知判定手段によって機密原稿であることを検知した場合、前記ユーザインターフェイス手段を、出力に対して機密情報であることを示す情報を付加する機密出力設定モードに自動的に遷移させる制御手段とを具備した画像処理装置である。
【００１０】
第二の手段は、前記機密原稿検知判定手段は、原稿メディアに埋め込まれた不揮発性メモリデータを読み出し、該データを解析することで機密原稿か否かを判定する、前記第一の手段に記載の画像処理装置。
【００１１】
第三の手段は、前記機密原稿検知判定手段は、原稿画像に付加された電子透かし情報を解析することで機密原稿化否かを判定することを特徴とする、前記第一の手段に記載の画像処理装置。
【００１２】
第四の手段は、前記ユーザインターフェイス手段は、前記機密出力設定モードにおいて、
（１）プリント出力メディアが具備する記憶手段への機密情報書きこみ
（２）プリント出力データへ機密原稿であることを示す、電子すかし情報付加
（３）プリント出力画像に機密原稿を示す、ウオーターマーク付加
のいずれか、あるいは組み合わせで選択させる、前記第一乃至第三の手段いずれかに記載の画像処理装置。
【００１３】
第五の手段は、前記ユーザインターフェイス手段は、装置本体に具備された操作パネルである、前記第一乃至第四の手段いずれかに記載の画像処理装置。
【００１４】
第六の手段は、前記ユーザインターフェイス手段は、装置とネットワーク接続されたホストから装置に対して動作、設定指示可能なリモートリモートアクセス機能である前記第一乃至第四の手段いずれかに記載の画像処理装置。
【発明の効果】
【００１５】
本発明によれば、機密原稿をコピーする場合必ずコピー出力に対して機密を示す機密識別情報を付加させるよう自動で操作画面を切り換えることで、機密原稿のコピー出力物についても機密情報であることを示す機密識別情報を、漏れなく付加することができる。
【発明を実施するための最良の形態】
【００１６】
以下本発明を実施するための最良の形態を、実施例により詳しく説明する。
【実施例】
【００１７】
以下で本発明の装置及びその動作について詳細に説明する。
【００１８】
［ハードウェア］
全体構成
全体構成図を図６に示す。Ｃｏｎｔｒｏｌｌｅｒ  Ｕｎｉｔ  ２０００は画像入力デバイスであるＳｃａｎｎｅｒ２０７０や画像出力デバイスであるＰｒｉｎｔｅｒ２０９５と接続し、一方ではＬＡＮ２０１１や公衆回線（ＷＡＮ）２０５１接続することで、画像情報やデバイス情報の入出力を行う為のコントローラである。  ＣＰＵ２００１はシステム全体を制御するコントローラである。ＲＡＭ２００２はＣＰＵ２００２が動作するためのシステムワークメモリであり、画像データを一時記憶するための画像メモリでもある。ＲＯＭ２００３はブートＲＯＭであり、システムのブートプログラムが格納されている。ＨＤＤ２００４はハードディスクドライブで、システムソフトウェア、画像データを格納する。操作部Ｉ／Ｆ２００６は操作部（ＵＩ）２０１２とインターフェース部で、操作部２０１２に表示する画像データを操作部２０１２に対して出力する。
【００１９】
また、操作部２０１２から本システム使用者が入力した情報を、ＣＰＵ２００１に伝える役割をする。Ｎｅｔｗｏｒｋ２０１０はＬＡＮ２０１１に接続し、情報の入出力を行う。Ｍｏｄｅｍ２０５０は公衆回線２０５１に接続し、情報の入出力を行う。以上のデバイスがシステムバス２００７上に配置される。Ｉｍａｇｅ  Ｂｕｓ  Ｉ／Ｆ２００５はシステムバス２００７と画像データを高速で転送する画像バス２００８を接続し、データ構造を変換するバスブリッジである。画像バス２００８は、ＰＣＩバスまたはＩＥＥＥ１３９４で構成される。
【００２０】
画像バス２００８上には以下のデバイスが配置される。ラスターイメージプロセッサ（ＲＩＰ）２０６０はＰＤＬコードをビットマップイメージに展開する。デバイスＩ／Ｆ部２０２０は、画像入出力デバイスであるスキャナ２０７０やプリンタ２０９５とコントローラ２０００を接続し、画像データの同期系／非同期系の変換を行う。スキャナ画像処理部２０８０は、入力画像データに対し補正、加工、編集を行う。プリンタ画像処理部は、プリント出力画像データに対して、プリンタの補正、解像度変換等を行う。画像回転部２０３０は画像データの回転を行う。画像圧縮部２０４０は、多値画像データはＪＰＥＧ、２値画像画像データはＪＢＩＧ、ＭＭＲ、ＭＨの圧縮伸張処理を行う。
【００２１】
機密情報読み取り部２０７５は、スキャナ２０７０に接続されており、スキャナ２０７０にセットされた原稿メディアから磁気／無線などのデータ読み取り方法によって、機密原稿を示す情報の読み取りを行う。機密情報書き込み部２０９７は出力メディア上に画像形成するプリンタ２０９５に接続されており、機密情報のプリント出力時にメディアに対して磁気／無線などの手段で機密を示す情報を書きこむ。
【００２２】
画像入出力部
画像入出力デバイスを図７に示す。画像入力デバイスであるスキャナ部２０７０は、原稿となる紙上の画像を照明し、ＣＣＤラインセンサ（図示せず）を走査することで、ラスターイメージデータ２０７１として電気信号に変換する。原稿用紙は原稿フィーダ２０７２のトレイ２０７３にセットし、装置使用者が操作部２０１２から読み取り起動指示することにより、コントローラＣＰＵ２００１がスキャナ２０７０に指示を与え（２０７１）、フィーダ２０７２は原稿用紙を１枚ずつフィードし原稿画像の読み取り動作を行う。
【００２３】
画像出力デバイスであるプリンタ部２０９５は、ラスターイメージデータ２０９６を用紙上の画像に変換する部分であり、その方式は感光体ドラムや感光体ベルトを用いた電子写真方式、微少ノズルアレイからインクを吐出して用紙上に直接画像を印字するインクジェット方式等があるが、どの方式でも構わない。プリント動作の起動は、コントローラＣＰＵ２００１からの指示２０９６によって開始する。プリンタ部２０９５には、異なる用紙サイズまたは異なる用紙向きを選択できるように複数の給紙段を持ち、それに対応した用紙カセット２１０１、２１０２、２１０３、２１０４がある。また、排紙トレイ２１１１は印字し終わった用紙を受けるものである。
【００２４】
操作部
操作部２０１２の構成を図８に示す。ＬＣＤ表示部２０１３は、ＬＣＤ上にタッチパネルシートが貼られており、システムの操作画面を表示するとともに、表示してあるキーが押されるとその位置情報をコントローラＣＰＵ２００１に伝える。スタートキー２０１４は原稿画像の読み取り動作を開始する時などに用いる。スタートキー２０１４中央部には、緑と赤の２色ＬＥＤ２０１８があり、その色によってスタートキー２０１４が使える状態にあるかどうかを示す。ストップキー２０１５は稼働中の動作を止める働きをする。ＩＤキー２０１６は、使用者のユーザＩＤを入力する時に用いる。リセットキー２０１７は操作部からの設定を初期化する時に用いる。
【００２５】
スキャナ画像処理部
スキャナ画像処理部２０８０の構成を図９に示す。画像バスＩ／Ｆコントローラ２０８１は、画像バス２００８と接続し、そのバスアクセスシーケンスを制御する働きと、スキャナ画像処理部２０８０内の各デバイスの制御及びタイミングを発生させる。フィルタ処理部２０８２は、空間フィルタでコンボリューション演算を行う。編集部２０８３は、例えば入力画像データからマーカーペンで囲まれた閉領域を認識して、その閉領域内の画像データに対して、影つけ、網掛け、ネガポジ反転等の画像加工処理を行う。変倍処理部２０８４は、読み取り画像の解像度を変える場合にラスターイメージの主走査方向について補間演算を行い拡大、縮小を行う。副走査方向の変倍については、画像読み取りラインセンサ（図示せず）を走査する速度を変えることで行う。テーブル２０８５は、読み取った輝度データである画像データを濃度データに変換するために、行うテーブル変換である。２値化２０８６は、多値のグレースケール画像データを、誤差拡散処理やスクリーン処理によって２値化する。
【００２６】
処理が終了した画像データは、再び画像バスコントローラ２０８１を介して、画像バス上に転送される。
【００２７】
プリンタ画像処理部
プリンタ画像処理部２０９０の構成を図１０に示す。画像バスＩ／Ｆコントローラ２０９１は、画像バス２００８と接続し、そのバスアクセスシーケンスを制御する働きと、スキャナ画像処理部２０９０内の各デバイスの制御及びタイミングを発生させる。解像度変換部２０９２は、Ｎｅｔｗｏｒｋ２０１１あるいは公衆回線２０５１から来た画像データを、プリンタ２０９５の解像度に変換するための解像度変換を行う。スムージング処理部２０９３は、解像度変換後の画像データのジャギー（斜め線等の白黒境界部に現れる画像のがさつき）を滑らかにする処理を行う。
【００２８】
画像圧縮部
画像圧縮部２０４０の構成を図１１に示す。画像バスＩ．／Ｆコントローラ２０４１は、画像バス２００８と接続し、そのバスアクセスシーケンスを制御する働き、入力バッファ２０４２・出力バッファ２０４５とのデータのやりとりを行うためのタイミング制御及び、画像圧縮部２０４３に対するモード設定などの制御を行う。以下に画像圧縮処理部の処理手順を示す。
【００２９】
画像バス２００８を介して、ＣＰＵ２００１から画像バスＩ／Ｆコントローラ２０４１に画像圧縮制御のための設定を行う。この設定により画像バスＩ／Ｆコントローラ２０４１は画像圧縮部２０４３に対して画像圧縮に必要な設定（たとえばＭＭＲ圧縮・ＪＢＩＧ伸長等の）を行う。必要な設定を行った後に、再度ＣＰＵ２００１から画像バスＩ／Ｆコントローラ２０４１に対して画像データ転送の許可を行う。この許可に従い、画像バスＩ／Ｆコントローラ２０４１はＲＡＭ２００２もしくは画像バス２００８上の各デバイスから画像データの転送を開始する。受け取った画像データは入力バッファ２０４２に一時格納され、画像圧縮部２０４３の画像データ要求に応じて一定のスピードで画像を転送する。
【００３０】
この際、入力バッファは画像バスＩ／Ｆコントローラ２０４１と、画像圧縮部２０４３両者の間で、画像データを転送できるかどうかを判断し、画像バス２００８からの画像データの読み込み及び、画像圧縮部２０４３への画像の書き込みが不可能である場合は、データの転送を行わないような制御を行う（以後このような制御をハンドシェークと呼称する）。画像圧縮部２０４３は受け取った画像データを、一旦ＲＡＭ２０４４に格納する。
【００３１】
これは画像圧縮を行う際には行う画像圧縮処理の種類によって、数ライン分のデータを要するためであり、最初の１ライン分の圧縮を行うためには数ライン分の画像データを用意してからでないと画像圧縮が行えないためである。画像圧縮を施された画像データは直ちに出力バッファ２０４５に送られる。出力バッファ２０４５では、画像バスＩ／Ｆコントローラ２０４１及び画像圧縮部２０４３とのハンドシェークを行い、画像データを画像バスＩ／Ｆコントローラ２０４１に転送する。画像バスＩ／Ｆコントローラ２０４１では転送された圧縮（もしくは伸長）された画像データをＲＡＭ２００２もしくは画像バス２００８上の各デバイスにデータを転送する。こうした一連の処理は、ＣＰＵ２００１からの処理要求が無くなるまで（必要なページ数の処理が終わったとき）、もしくはこの画像圧縮部から停止要求が出るまで（圧縮及び伸長時のエラー発生時等）繰り返される。
【００３２】
画像回転部
画像回転部２０３０の構成を図１２に示す。画像バスＩ／Ｆコントローラ２０３１は、画像バス２００８と接続し、そのバスシーケンスを制御する働き、画像回転部２０３２にモード等を設定する制御及び、画像回転部２０３２に画像データを転送するためのタイミング制御を行う。以下に画像回転部の処理手順を示す。
画像バス２００８を介して、ＣＰＵ２００１から画像バスＩ／Ｆコントローラ２０３１に画像回転制御のための設定を行う。
【００３３】
この設定により画像バスＩ／Ｆコントローラ２０４１は画像回転部２０３２に対して画像回転に必要な設定（たとえば画像サイズや回転方向・角度等）を行う。必要な設定を行った後に、再度ＣＰＵ２００１から画像バスＩ／Ｆコントローラ２０４１に対して画像データ転送の許可を行う。この許可に従い、画像バスＩ／Ｆコントローラ２０３１はＲＡＭ２００２もしくは画像バス２００８上の各デバイスから画像データの転送を開始する。尚、ここでは３２ｂｉｔをそのサイズとし回転を行う画像サイズを３２×３２（ｂｉｔ）とし、又、画像バス２００８上に画像データを転送させる際に３２ｂｉｔを単位とする画像転送を行うものとする（扱う画像は２値を想定する）。
【００３４】
上述のように、３２×３２（ｂｉｔ）の画像を得るためには、上述の単位データ転送を３２回行う必要があり、且つ不連続なアドレスから画像データを転送する必要がある（図１３参照）。
【００３５】
不連続アドレッシングにより転送された画像データは、読み出し時に所望の角度に回転されているように、ＲＡＭ２０３３に書き込まれる。例えば、９０度反時計方向回転であれば、最初に転送された３２ｂｉｔの画像データを、図１４のようにＹ方向に書き込んでいく。読み出し時にＸ方向に読み出すことで、画像が回転される。
【００３６】
３２×３２（ｂｉｔ）の画像回転（ＲＡＭ２０３３への書き込み）が完了した後、画像回転部２０３２はＲＡＭ２０３３から上述した読み出し方法で画像データを読み出し、画像バスＩ／Ｆコントローラ２０３１に画像を転送する。
【００３７】
回転処理された画像データを受け取った画像バスＩ／Ｆコントローラ２０３１は、連続アドレッシングを以て、ＲＡＭ２００２もしくは画像バス２００８上の各デバイスにデータを転送する。
【００３８】
こうした一連の処理は、ＣＰＵ２００１からの処理要求が無くなるまで（必要なページ数の処理が終わったとき）繰り返される。
【００３９】
デバイスＩ／Ｆ部
デバイスＩ／Ｆ部２０２０の構成を図１５に示す。画像バスＩ／Ｆコントローラ２０２１は、画像バス２００８と接続し、そのバスアクセスシーケンスを制御する働きと、デバイスＩ／Ｆ部２０２０内の各デバイスの制御及びタイミングを発生させる。また、外部のスキャナ２０７０及びプリンタ２０９５への制御信号を発生させる。スキャンバッファ２０２２は、スキャナ２０７０から送られてくる画像データを一時保存し、画像バス２００８に同期させて画像データを出力する。シリアルパラレル・パラレルシリアル変換２０２３は、スキャンバッファ２０２２に保存された画像データを順番に並べて、あるいは分解して、画像バス２００８に転送できる画像データのデータ幅に変換する。パラレルシリアル・シリアルパラレル変換２０２４は、画像バス２００８から転送された画像データを分解して、あるいは順番に並べて、プリントバッファ２０２５に保存できる画像データのデータ幅に変換する。プリントバッファ２０２５は、画像バス２００８から送られてくる画像データを一時保存し、プリンタ２０９５に同期させて画像データを出力する。
【００４０】
画像スキャン時の処理手順を以下に示す。スキャナ２０７０から送られてくる画像データをスキャナ２０７０から送られてくるタイミング信号に同期させて、スキャンバッファ２０２２に保存する。そして、画像バス２００８がＰＣＩバスの場合には、バッファ内に画像データが３２ビット以上入ったときに、画像データを先入れ先出しで３２ビット分、バッファからシリアルパラレル・パラレルシリアル変換２０２３に送り、３２ビットの画像データに変換し、画像バスＩ／Ｆコントローラ２０２１を通して画像バス２００８上に転送する。また、画像バス２００８がＩＥＥＥ１３９４の場合には、バッファ内の画像データを先入れ先出しで、バッファからシリアルパラレル・パラレルシリアル変換２０２３に送り、シリアル画像データに変換し、画像バスＩ／Ｆコントローラ２０２１を通して画像バス２００８上に転送する。
【００４１】
画像プリント時の処理手順を以下に示す。画像バス２００８がＰＣＩバスの場合には、画像バスから送られてくる３２ビットの画像データを画像バスＩ／Ｆコントローラで受け取り、パラレルシリアル・シリアルパラレル変換２０２４に送り、プリンタ２０９５の入力データビット数の画像データに分解し、プリントバッファ２０２５に保存する。また、画像バス２００８がＩＥＥＥ１３９４の場合には、画像バスからおくられてくるシリアル画像データを画像バスＩ／Ｆコントローラで受け取り、パラレルシリアル・シリアルパラレル変換２０２４に送り、プリンタ２０９５の入力データビット数の画像データに変換し、プリントバッファ２０２５に保存する。そして、プリンタ２０９５から送られてくるタイミング信号に同期させて、バッファ内の画像データを先入れ先出しで、プリンタ２０９５に送る。
【００４２】
［ソフトウェア］
システム全体
本発明のネットワークシステム全体の構成図を図４に示す。１００１は本発明の装置で、後述するスキャナとプリンタから構成され、スキャナから読み込んだ画像をローカルエリアネットワーク１０１０（以下ＬＡＮ）に流したり、ＬＡＮから受信した画像をプリンタによりプリントアウトできる。
【００４３】
また、スキャナから読んだ画像を図示しないＦＡＸ送信手段により、ＰＳＴＮまたはＩＳＤＮ（１０３０）に送信したり、ＰＳＴＮまたはＩＳＤＮから受信した画像をプリンタによりプリントアウトできる。１００２は、データベースサーバで、本発明の装置１００１により読み込んだ２値画像及び多値画像をデータベースとして管理する。１００３は、データベースサーバ１００２のデータベースクライアントで、データベース１００２に保存されている画像データを閲覧／検索等できる。１００４は、電子メールサーバで、本発明の装置１００１により読み取った画像を電子メールの添付として受け取ることができる。
【００４４】
１００５は、電子メールのクライアントで、電子メールサーバ１００４の受け取ったメールを受信し閲覧したり、電子メールを送信したり、可能である。１００６がＨＴＭＬ文書をＬＡＮに提供するＷＷＷサーバで、本発明の装置１００１によりＷＷＷサーバで提供されるＨＴＭＬ文書をプリントアウトできる。１００７は、ルータでＬＡＮ１０１０をインターネット／イントラネット１０１２と連結する。インターネット／イントラネットに、前述したデータベースサーバ（１００２）、ＷＷＷサーバ（１００６）、電子メールサーバ（１００４）、本発明の装置（１００１）と同様の装置が、それぞれ１０２０、１０２１、１０２２、１０２３として連結している。またネットワーク上から本発明の装置を含む各種機器を使用可能なようにユーザのホスト（１０５０）が接続されている。
【００４５】
一方、本発明の装置１００１は、ＰＳＴＮまたはＩＳＤＮ（１０３０）を介して、ＦＡＸ装置１０３１と送受信可能になっている。また、ＬＡＮ上にプリンタ１０４０も連結されており、本発明の装置１００１により読み取った画像をプリントアウト可能なように構成されている。
【００４６】
ソフトウェアブロック全体構成
図５は、本発明を実施した複合機のソフトウェアブロック図である。
【００４７】
１５０１はＵＩ即ちユーザインターフェイスを司るものであり、オペレータが本複合機の各種操作・設定を行う際、機器との仲介を行うモジュールである。本モジュールは、オペレータの操作に従い、後述の各種モジュールに入力情報を転送し処理の依頼、或いはデータの設定等を行う。
【００４８】
１５０２はＡｄｄｒｅｓｓ−Ｂｏｏｋ即ちデータの送付先、通信先等を管理するデータベースモジュールである。Ａｄｄｒｅｓｓ−Ｂｏｏｋの内容は、ＵＩ１５０１からの操作によりデータの追加、削除、取得が行われ、オペレータの操作により後述の各モジュールにデータの送付・通信先情報を与えるものとして使用されるものである。
【００４９】
１５０３はＷｅｂ−Ｓｅｒｖｅｒモジュールであり、図外のＷｅｂクライアントからの要求により、本複合機の管理情報を通知するために使用される。管理情報は、後述のＣｏｎｔｒｏｌｌ−ＡＰＩ１５１８を介して読み取られ、後述のＨＴＴＰ１５１２、ＴＣＰ／ＩＰ１５１６、Ｎｅｔｗｏｒｋ−Ｄｒｉｖｅｒ１５１７を介してＷｅｂクライアントに通知される。
【００５０】
１５０４はＵｎｉｖｅｒｓａｌ−Ｓｅｎｄ即ち、データの配信を司るモジュールであり、ＵＩ１５０１によりオペレータに指示されたデータを、同様に指示された通信（出力）先に配布するものである。また、オペレータにより、本機器のスキャナ機能を使用し配布データの生成が指示された場合は、後述のＣｏｎｔｒｏｌｌ−ＡＰＩ１５１８を介して機器を動作させ、データの生成を行う。
【００５１】
１５０５はＵｎｉｖｅｒｓａｌ−Ｓｅｎｄ１５０４内で出力先にプリンタが指定された際に実行されるモジュールである。
【００５２】
１５０６はＵｎｉｖｅｒｓａｌ−Ｓｅｎｄ１５０４内で通信先にＥ−ｍａｉｌアドレスが指定された際に実行されるモジュールである。
【００５３】
１５０７はＵｎｉｖｅｒｓａｌ−Ｓｅｎｄ１５０４内で出力先にデータベースが指定された際に実行されるモジュールである。
【００５４】
１５０８はＵｎｉｖｅｒｓａｌ−Ｓｅｎｄ１５０４内で出力先に本機器と同様の複合機が指定された際に実行されるモジュールである。
【００５５】
１５０９はＲｅｍｏｔｅ−Ｃｏｐｙ−Ｓｃａｎモジュールであり、本複合機のスキャナ機能を使用し、ネットワーク等で接続された他の複合機を出力先とし、本複合機単体で実現しているＣｏｐｙ機能と同等の処理を行うモジュールである。
【００５６】
１５１０はＲｅｍｏｔｅ−Ｃｏｐｙ−Ｐｒｉｎｔモジュールであり、本複合機のプリンタ機能を使用し、ネットワーク等で接続された他の複合機を入力先とし、本複合機単体で実現しているＣｏｐｙ機能と同等の処理を行うモジュールである。
【００５７】
１５１１は機密原稿の読み込み、コピープリント時の制御をつかさどるＳｅｃｕｒｉｔｙ  Ａｐｐｌｉｃａｔｉｏｎであり、機密原稿であることを検知した場合、あるいはＵＩ１５０１からプリント出力に対して機密情報付加の指示がされた場合、ＳｅｃｕｒｉｔｙＩ／Ｆ  １５２８から検知情報の取得、あるいは機密出力命令を行う。
【００５８】
１５１２は本複合機がＨＴＴＰにより通信する際に使用されるモジュールであり、後述のＴＣＰ／ＩＰ１５１６モジュールにより前述のＷｅｂ−Ｓｅｒｖｅｒ１５０３、Ｗｅｂ−Ｐｕｌｌ−Ｐｒｉｎｔ１５１１モジュールに通信を提供するものである。
【００５９】
１５１３はｌｐｒモジュールであり、後述のＴＣＰ／ＩＰ１５１６モジュールにより前述のＵｎｉｖｅｒｓａｌ−Ｓｅｎｄ１５０４内のプリンタモジュール１５０５に通信を提供するものである。
【００６０】
１５１４はＳＭＴＰモジュールであり、後述のＴＣＰ／ＩＰ１５１６モジュールにより前述のＵｎｉｖｅｒｓａｌ−Ｓｅｎｄ１５０４内のＥ−ｍａｉｌモジュール１５０６に通信を提供するものである。
【００６１】
１５１５はＳＬＭ即ちＳａｌｕｔａｔｉｏｎ−Ｍａｎａｇｅｒモジュールであり、後述のＴＣＰ／ＩＰ１５１６モジュールにより前述のＵｎｉｖｅｒｓａｌ−Ｓｅｎｄ１５０４内のデータベースモジュール１５１７、ＤＰモジュール１５１８、及びＲｅｍｏｔｅ−Ｃｏｐｙ−Ｓｃａｎ１５０９モジュール、Ｒｅｍｏｔｅ−Ｃｏｐｙ−Ｐｒｉｎｔ１５１０モジュールに通信を提供するものである。
【００６２】
１５１６はＴＣＰ／ＩＰ通信モジュールであり、前述の各種モジュールに後述のＮｅｔｗｏｒｋ−Ｄｒｉｖｅｒによりネットワーク通信を提供するものである。
【００６３】
１５１７はネットワークドライバであり、ネットワークに物理的に接続される部分を制御するものである。
【００６４】
１５１８はＣｏｎｔｒｏｌｌ−ＡＰＩであり、Ｕｎｉｖｅｒｓａｌ−Ｓｅｎｄ１５０４等の上流モジュールに対し、後述のＪｏｂ−Ｍａｎａｇｅｒ１５１９等の下流モジュールとのインターフェースを提供するものであり、上流、及び下流のモジュール間の依存関係を軽減しそれぞれの流用性を高めるものである。
【００６５】
１５１９はＪｏｂ−Ｍａｎａｇｅｒであり、前述の各種モジュールよりＣｏｎｔｒｏｌｌ−ＡＰＩ１５１８を介して指示される処理を解釈し、後述の各モジュールに指示を与えるものである。また、本モジュールは、本複合機内で実行されるハード的な処理を一元管理するものである。
【００６６】
１５２０はＣＯＤＥＣ−Ｍａｎａｇｅｒであり、Ｊｏｂ−Ｍａｎａｇｅｒ１５１９が指示する処理の中でデータの各種圧縮・伸長を管理・制御するものである。
【００６７】
１５２１はＦＢＥ−Ｅｎｃｏｄｅｒであり、Ｊｏｂ−Ｍａｎａｇｅｒ１５１９、Ｓｃａｎ−Ｍａｎａｇｅｒ１５２４により実行されるスキャン処理により読み込まれたデータをＦＢＥフォーマットにより圧縮するものである。
【００６８】
１５２２はＪＰＥＧ−ＣＯＤＥＣであり、Ｊｏｂ−Ｍａｎａｇｅｒ１５１９、Ｓｃａｎ−Ｍａｎａｇｅｒ１５２４により実行されるスキャン処理、及びＰｒｉｎｔ−Ｍａｎａｇｅｒ１５２６により実行される印刷処理において、読み込まれたデータのＪＰＥＧ圧縮及び印刷データのＪＰＥＧ展開処理を行うものである。
【００６９】
１５２３はＭＭＲ−ＣＯＤＥＣであり、Ｊｏｂ−Ｍａｎａｇｅｒ１５１９、Ｓｃａｎ−Ｍａｎａｇｅｒ１５２４により実行されるスキャン処理、及びＰｒｉｎｔ−Ｍａｎａｇｅｒ１５２６により実行される印刷処理において、読み込まれたデータのＭＭＲ圧縮及び印刷データのＭＭＲ伸長処理を行うものである。
【００７０】
１５２４はＳｃａｎ−Ｍａｎａｇｅｒであり、Ｊｏｂ−Ｍａｎａｇｅｒ１５１９が指示するスキャン処理を管理・制御するものである。
【００７１】
１５２５はＳＣＳＩドライバであり、Ｓｃａｎ−Ｍａｎａｇｅｒ１５２４と本複合機が内部的に接続しているスキャナ部との通信を行うものである。
【００７２】
１５２６はＰｒｉｎｔ−Ｍａｎａｇｅｒであり、Ｊｏｂ−Ｍａｎａｇｅｒ１５１９が指示する印刷処理を管理・制御するものである。
【００７３】
１５２７はＥｎｇｉｎｅ−Ｉ／Ｆドライバであり、Ｐｒｉｎｔ−Ｍａｎａｇｅｒ１５２６と印刷部とのＩ／Ｆを提供するものである。
【００７４】
１５２８はＳｅｃｕｒｉｔｙＩ／Ｆであり、スキャナ２０７０に接続された機密情報読み込み部２０７５、及びプリンタ２０９５に接続された機密情報書き込み２０９７へのＩ／Ｆを提供するものである。
【００７５】
アプリケーション
以下、本発明の組み込みアプリケーションの実施の形態について図面を用いて説明する。
【００７６】
図６４は、本発明の配信に関する組み込みアプリケーションブロックを表すものである。
【００７７】
４０５０は、図１６に示す本発明の操作部アプリケーションを示すブロックである。４１００は、リモートコピーアプリケーションの送信側を示すブロックである。４１５０は、同報配信の送信側を示すブロックである。４２００は、Ｗｅｂ  Ｐｕｌｌ  Ｐｒｉｎｔモジュールを示すブロックである。４２５０は、Ｗｅｂ  Ｓｅｒｖｅｒモジュールを示すブロックである。４３００は、リモートコピーの受信側（プリント側）を示すブロックである。４３５０は、同報配信で送信されてきたイメージを汎用のプリンタで受信・プリントするブロックである。
【００７８】
４４００は、リモートプリントの受信側（プリント側）を示すブロックである。４４５０は、同報配信で送信されてきたイメージを公知のＮｏｔｅｓ  Ｓｅｒｖｅｒで受信・格納するブロックである。４５００は、同報配信で送信されてきたイメージを２値のイメージを受信・格納するブロックである。４５５０は、同報配信で送信されてきたイメージを公知のＭａｉｌ  Ｓｅｒｖｅｒで受信・格納するブロックである。４６００は、同報配信で送信されてきたイメージを多値のイメージを受信・格納するブロックである。４６５０は、情報コンテンツを含んだ、公知のＷｅｂ  Ｓｅｒｖｅｒである。４７００は、本発明のＷｅｂ  Ｓｅｒｖｅｒなどにアクセスする公知のＷｅｂ  Ｂｒｏｗｓｅｒである。
【００７９】
以下、それぞれのブロックに照らし合わせながら、アプリケーション群の説明を詳細に行う。
【００８０】
Ｕｓｅｒ  Ｉｎｔｅｒｆａｃｅ  アプリケーション
４０５０ブロックに示したＵｓｅｒ  Ｉｎｔｅｒｆａｃｅ（以下、ＵＩ）の詳細は、前記したとおりであるが、ここでは、４０５１のＡｄｄｒｅｓｓ  Ｂｏｏｋについて説明する。このＡｄｄｒｅｓｓ  Ｂｏｏｋは、本発明の機器内の不揮発性の記憶装置（不揮発性メモリやハードディスクなど）に保存されており、この中には、ネットワークに接続された機器の特徴が記載されている。例えば、以下に列挙するようなものが含まれている。
【００８１】
・機器の正式名やエイリアス名
・機器のネットワークアドレス
・機器の処理可能なネットワークプロトコル
・機器の処理可能なドキュメントフォーマット
・機器の処理可能な圧縮タイプ
・機器の処理可能なイメージ解像度
・プリンタ機器の場合の給紙可能な紙サイズ、給紙段情報
・サーバ（コンピューター）機器の場合のドキュメントを格納可能なフォルダ名
以下に説明する各アプリケーションは、上記Ａｄｄｒｅｓｓ  Ｂｏｏｋ４０５１に記載された情報により配信先の特徴を判別することが可能となる。
【００８２】
また、このＡｄｄｒｅｓｓ  Ｂｏｏｋは、編集可能であると共に、ネットワーク内のサーバーコンピュータなどに保存されているものをダウンロードして使用する、または、直接参照することも可能である。
【００８３】
リモートコピーアプリケーション
リモートコピーアプリケーションは、配信先に指定された機器の処理可能な解像度情報を前記Ａｄｄｒｅｓｓ  Ｂｏｏｋ４０５１より判別し、それに従い、スキャナにより読み取った画像２値画像を公知のＭＭＲ圧縮を用いて圧縮し、それを公知のＴＩＦＦ（Ｔａｇｇｅｄ  Ｉｍａｇｅ  Ｆｉｌｅ  Ｆｏｒｍａｔ）化し、ＳＬＭ４１０３に通して、ネットワーク上のプリンタ機器に送信する。ＳＬＭ４１０３とは、詳細には説明しないが、公知のＳａｌｕｔａｔｉｏｎ  Ｍａｎａｇｅｒ（または、Ｓｍａｒｔ  Ｌｉｎｋ  Ｍａｎａｇｅｒ）と呼ばれる機器制御情報などを含んだネットワークプロトコルの一種である。
【００８４】
同報配信アプリケーション
同報配信アプリケーションは、前記リモートコピーアプリケーションと違い、一度の画像走査で複数の配信宛先に画像を送信する事が可能である。また、配信先もプリンタ機器にとどまらず、いわゆるサーバーコンピュータにも直接配信可能である。
【００８５】
以下、配信先に従って順に説明する。
【００８６】
配信先の機器が公知のネットワークプリンタプロトコルであるＬＰＤ（Ｌｉｎｅ  Ｐｒｉｎｔｅｒ  Ｄａｅｍｏｎ）、プリンタ制御コマンドとして公知のＬＩＰＳを処理可能だとＡｄｄｒｅｓｓ  Ｂｏｏｋ４０５１より判別した場合、同様にＡｄｄｒｅｓｓ  Ｂｏｏｋ４０５１より判別した画像解像度に従って画像読み取りを行い、画像自体は、本実施例では、公知のＦＢＥ（Ｆｉｒｓｔ  Ｂｉｎａｒｉ  Ｅｎｃｏｄｉｎｇ）を用いて圧縮し、さらにＬＩＰＳコード化して、公知のネットワークプリンタプロトコルであるＬＰＲで相手機器に送信する。
【００８７】
配信先の機器が前記ＳＬＭで通信可能で、サーバ機器の場合、Ａｄｄｒｅｓｓ  Ｂｏｏｋ４０５１より、サーバーアドレス、サーバ内のフォルダの指定を判別し、リモートコピーアプリケーションと同様に、スキャナにより読み取った画像２値画像を公知のＭＭＲ圧縮を用いて圧縮し、それを公知のＴＩＦＦ（Ｔａｇｇｅｄ  Ｉｍａｇｅ  Ｆｉｌｅ  Ｆｏｒｍａｔ）化し、ＳＬＭを通して、ネットワーク上のサーバ機器の特定のフォルダに格納する事が可能である。
【００８８】
また、本実施例の機器では、相手機器であるサーバが公知のＪＰＥＧ圧縮された多値画像を処理可能だと判別した場合、前記の２値画像と同様に多値読み取りした画像を公知のＪＰＥＧ圧縮を用いて、やはり公知のＪＦＩＦ化し、ＳＬＭを通して、ネットワーク上のサーバ機器の特定のフォルダに格納する事が可能である。
【００８９】
配信先の機器が公知のＥ−Ｍａｉｌサーバである場合、Ａｄｄｒｅｓｓ  Ｂｏｏｋ４０５１に記載されたメールアドレスを判別し、スキャナにより読み取った画像２値画像を公知のＭＭＲ圧縮を用いて圧縮し、それを公知のＴＩＦＦ（Ｔａｇｇｅｄ  Ｉｍａｇｅ  Ｆｉｌｅ  Ｆｏｒｍａｔ）し、公知のＳＭＴＰ（Ｓｉｍｐｌｅ  Ｍａｉｌ  Ｔｒａｎｓｆｅｒ  Ｐｒｏｔｃｏｌ）４１５３を使用して、Ｅ−Ｍａｉｌサーバに送信する。その後の配信は、Ｍａｉｌ  Ｓｅｒｖｅｒ４５５０に従って実行される。
【００９０】
Ｗｅｂ  Ｐｕｌｌ  Ｐｒｉｎｔ  アプリケーション
Ｗｅｂ  Ｐｕｌｌ  Ｐｒｉｎｔアプリケーションは、本実施例と直接関係しないので、説明は省略する。
【００９１】
Ｗｅｂ  Ｓｅｒｖｅｒ  アプリケーション
Ｗｅｂ  Ｓｅｒｖｅｒアプリケーションは、本実施例と直接関係しないので、説明は省略する。
【００９２】
操作部概要
操作部の構成を図１６に示す。ＬＣＤ表示部（３００１）は、ＬＣＤ上にタッチパネルシートが貼られており、システムの操作画面を表示するとともに、表示してあるキーが押されるとその位置情報をコントローラＣＰＵに伝える。スタートキー（３００２）は原稿画像の読み取り動作を開始する時などに用いる。スタートキー中央部には、緑と赤の２色ＬＥＤがあり、その色によってスタートキーが使える状態にあるかどうかを示す。ストップキー（３００３）は稼働中の動作を止める働きをする。ＩＤキー（３００４）は使用者のユーザＩＤを入力するときに用いる。リセットキー（３００５）は操作部からの設定を初期化するときに用いる。
【００９３】
以下で操作部の各画面について詳細に説明する。
【００９４】
操作画面（図１７）
本発明の装置が提供する機能は、Ｃｏｐｙ／Ｓｅｎｄ／Ｒｅｔｒｉｅｖｅ／Ｔａｓｋｓ／Ｍａｎａｇｅｍｅｎｔ／Ｃｏｎｆｉｇｕｒａｔｉｏｎの６つの大きなカテゴリーに分かれており、これらは操作画面（３０１０）上の上部に表示される６つのメインタブ（ＣＯＰＹ／ＳＥＮＤ／ＲＥＴＲＥＩＶＥ／ＴＡＳＫＳ／ＭＧＭＴ／ＣＯＮＦＩＧ）（３０１１〜３０１６）に対応している。これらのメインタブを押すことにより、各カテゴリーの画面への切り替えが行われる。他カテゴリーへの切り換えが許可されない場合は、メインタブの表示色が変わり、メインタブを押しても反応しない。
【００９５】
Ｃｏｐｙは自機が有するスキャナとプリンタを使用して通常のドキュメント複写を行う機能と、自機が有するスキャナとネットワークで接続されたプリンタを使用してドキュメントの複写を行う機能（リモートコピー）を含む。Ｓｅｎｄは自機が有するスキャナに置かれたドキュメントを、電子メール、リモートプリンタ、ファックス、ファイル転送（ＦＴＰ）およびデータベースに転送する機能であり、宛先を複数指定することが可能である。Ｒｅｔｒｉｅｖｅは外部にあるドキュメントを取得し、自機が有するプリンタで印刷する機能である。ドキュメントの取得手段としてＷＷＷ、電子メール、ファイル転送およびファックスの使用が可能である。Ｔａｓｋｓはファックスやインターネットプリントなどの外部から送られるドキュメントを自動処理し、定期的にＲｅｔｒｉｅｖｅを行うためのタスクの生成、管理を行う。Ｍａｎａｇｅｍｅｎｔはジョブ・アドレス帳・ブックマーク・ドキュメント・アカウント情報などの管理を行う。Ｃｏｎｆｉｇｕｒａｔｉｏｎでは自機に関しての設定（ネットワーク、時計など）を行う。
【００９６】
以下、これらの機能設定を行う方法をＬＣＤ画面表示の例を使用して説明する。
【００９７】
ＩＤ入力画面（図１８）
電源投入直後およびＩＤキー押下時にＩＤ入力画面（３０２０）が表示される。ＩＤ入力画面でユーザＩＤおよびパスワードを正しく入力し、ＯＫボタンを押すと、前述の操作画面が表示され、操作が可能になる。ＩＤ入力領域（３０２１）とパスワード入力領域（３０２２）の切り換えは、入力領域を直接押すことで切り換えることができる。
【００９８】
ＣＯＰＹ画面（図２２）
ＣＯＰＹ画面表示時にスタートボタンを押すと、スキャナが動作し、選択されているプリンタから画面上に表示されている各設定パラメータに応じた複写物が出力される。
【００９９】
ＣＯＰＹメイン画面（３１００）はプリンタ選択ボタン（３１０３）およびプリンタ表示領域（３１０２）、Ｉｍａｇｅ  Ｑｕａｌｉｔｙ選択ボタン（３１０５）およびＩｍａｇｅ  Ｑｕａｌｉｔｙ表示領域（３１０４）、従来の複写機と同様のコピーパラメータ表示（３１０１）、拡大縮小設定ボタン（３１０６，３１０７）、紙選択ボタン（３１０８）、ソータ設定ボタン（３１１０）、両面コピー設定ボタン（３１１２）、濃度インジケータおよび濃度設定ボタン（３１０９）、テンキー（３１１４）から構成される。
【０１００】
プリンタ選択ボタン（３１０３）を押すと、図２３に示す使用可能なプリンタ（自機が有するプリンタおよびネットワークで接続されたプリンタ）の一覧（３１２０）がプルダウン表示される。一覧の中から所望のプリンタを選択すると、一覧が消え、プリンタ表示領域（３１０２）に選択したプリンタ名が表示される。
【０１０１】
Ｉｍａｇｅ  Ｑｕａｌｉｔｙ設定ボタン（３１０５）を押すと、図２４に示すＩｍａｇｅ  Ｑｕａｌｉｔｙ一覧（３１２５）が表示され、その中から所望のＩｍａｇｅ  Ｑｕａｌｉｔｙを選択することができる。
【０１０２】
前述のコピーパラメータ設定ボタンを押すと、それぞれに対応した設定を行うためのサブ画面（拡大縮小設定：図２５の３１３０、紙選択：図２６の３１４０、ソータ設定：図２７の３１５０、両面コピー設定：図２８の３１６０）が表示され、従来の複写機での設定と同様にパラメータを設定することができる。また濃度設定も従来の複写機と同様に操作することができる。
【０１０３】
ＳＥＮＤ画面（図２９）
Ｓｅｎｄ画面表示時にスタートボタンが押されると、スキャナが動作し、読み取った画像データを設定された宛先に指定された送信方法で送信する処理が開始される。
【０１０４】
ＳＥＮＤメイン画面（３２００）は、宛先表示領域（３２０２）、詳細宛先数表示領域（３２０３）、宛先スクロールボタン（３２０４）、アドレスブックボタン（３２０８）、Ｎｅｗボタン（３２０９）、Ｅｄｉｔボタン（３２１０）、Ｄｅｌｅｔｅボタン（３２１１）、Ｓｕｂｊｅｃｔ入力領域（３２０５）、Ｍｅｓｓａｇｅ入力領域（３２０６）、Ｆｉｌｅ  Ｎａｍｅ入力領域（３２０７）、Ｃｏｖｅｒ  ｐａｇｅチェックボタン（３２１２）、Ｐｕｔ  Ｉｎｔｏ  ＨＤチェックボタン（３２１３）、Ｐｒｉｎｔ  Ｏｕｔチェックボタン（３２１４）、Ｓｃａｎ  Ｓｅｔｔｉｎｇボタン（３２１５）から構成される。リセットを含む初期化時には図３０の３２０１に示すように、宛先表示領域には１つの宛先も表示されず、操作説明画面が表示される。
【０１０５】
宛先表示領域（３２０２）には入力された宛先の一覧が表示される。入力は順次末尾に追加される。詳細宛先数表示領域（３２０３）には現在設定されている宛先数が表示される。
【０１０６】
宛先表示領域からある宛先を選択した後、Ｄｅｌｅｔｅボタン（３２１１）を押すと、選択されていた宛先が削除される。
【０１０７】
Ｓｕｂｊｅｃｔ入力領域（３２０５）、Ｍｅｓｓａｇｅ入力領域（３２０６）、Ｆｉｌｅ  Ｎａｍｅ入力領域（３２０７）を押すと、フルキーボードが表示され、それぞれの入力が可能になる。
【０１０８】
アドレスブックサブ画面（図３１）
Ａｄｄｒｅｓｓ  Ｂｏｏｋボタン（３２０８）を押すと、アドレスブックサブ画面（図３１の３２２０）が表示される。アドレス帳表示領域（３２２１）で選択マーク（３２３２）を付けられた宛先は、ＯＫボタン（３２３１）を押すことにより、ＳＥＮＤメイン画面の宛先表示領域（３２０２）に追加される。アドレス帳の表示はソート項目設定ボタン（３２２４〜３２２６）を押すことによりクラス別、名前昇順、名前降順にソートされる。項目選択件数表示領域（３２２７）には選択マークの付けられた項目数を表示する。
【０１０９】
ＯＫボタン（３２３１）またはキャンセルボタン（３２３０）が押されると、アドレスブックサブ画面はクローズされ、ＳＥＮＤメイン画面が表示される。
【０１１０】
アドレス帳の中の１つの項目を選択した状態でＤｅｔａｉｌボタン（３２２９）を押すと、Ｄｅｔａｉｌサブ画面（図３２の３２３５）が表示される。Ｄｅｔａｉｌサブ画面には選択された項目の情報としてアドレス帳から得られるすべての情報が表示される。
【０１１１】
サーチサブ画面（図３３）
アドレスブックサブ画面内のＳｅａｒｃｈボタン（３２２８）を押すとローカルアドレス帳または外部にあるアドレスサーバから宛先を検索するためのサーチサブ画面（３２４０）が表示される。サーチサブ画面上部は検索条件設定部分である。検索対象クラス表示領域（３２４５）、検索対象属性表示領域（３２４７）、検索対象条件表示領域（３２４９）、検索対象アドレスブック表示領域（３２５２）には現在選択されているものが表示される。検索対象クラス設定ボタン（３２４６）を押すと、検索対象クラス一覧が表示される（図３４の３２６０）。この一覧から選択されたものが検索対象クラス表示領域に表示される。検索対象属性設定ボタン（３２４８）を押すことによって検索対象属性一覧が表示される（図３５の３２６１）。この一覧に表示される属性は選択されている検索対象クラスによって次のように変化する。Ｃｏｍｍｏｎ  Ｎａｍｅ・Ａｄｄｒｅｓｓ・Ｃｏｕｎｔｒｙ（クラス：Ｐｅｒｓｏｎ）、Ｃｏｍｍｏｎ  Ｎａｍｅ・Ｏｗｎｅｒ・Ｌｏｃａｔｉｏｎ・Ｍｏｄｅｌ・Ｔｙｐｅ・Ｒｅｓｏｌｕｔｉｏｎ・Ｃｏｌｏｒ・Ｆｉｎｉｓｈｅｒ（クラス：Ｐｒｉｎｔｅｒ）、Ｃｏｍｍｏｎ  Ｎａｍｅ・Ｍｅｍｂｅｒ（クラス：Ｇｒｏｕｐ）、すべての属性（クラス：Ｅｖｅｒｙｔｈｉｎｇ）。
【０１１２】
検索対象条件設定ボタン（３２５０）を押すと、検索対象条件一覧が表示され（図３６の３２６２）、その一覧の中から条件を選択する。検索対象アドレスブック設定ボタン（３２５３）を押すと、検索対象アドレスブックの一覧が表示され（図３７の３２６３）、その中から選択することが可能になる。検索対象属性値入力領域（３２５１）を押すと、図２０に示すフルキーボード（３０４０）が表示され、値を入力することが可能になる。
【０１１３】
Ｄｏ  Ｓｅａｒｃｈボタン（３２５４）を押すと、設定された検索条件に従って検索が行われる。検索結果は検索結果表示領域（３２４１）に表示され、検索結果件数表示領域（３２４４）に件数が表示される。
【０１１４】
検索結果表示領域の項目のうち１つを選択した状態でＤｅｔａｉｌボタン（３２５５）を押すと、その項目に対する詳細情報（３２３５）が表示される。
【０１１５】
検索結果表示領域内の項目で宛先に追加するものには選択マークを付加する（図３８の３２６５）。ＯＫボタン（３２５７）を押すと、サーチサブ画面がクローズされ、ＳＥＮＤメイン画面に戻り、選択マークが付加されていた項目が宛先に追加される。キャンセルボタン（３２５６）を押した場合はサーチサブ画面がクローズされ、ＳＥＮＤメイン画面に戻るが、宛先に変化はない。
【０１１６】
詳細宛先サブ画面（図３９、図４０、図４１、図４２）
ＳＥＮＤメイン画面のＮｅｗボタン（３２０９）を押すとＰｅｒｓｏｎクラス詳細サブ画面（３２７０）が表示され、新しい宛先の設定が可能になる。宛先の入力は送信方法（電子メール、ファックス、プリンタ、ＦＴＰ）に対応した送信方法選択ボタン（３２７１〜３２７４）を押すか、詳細宛先入力領域（３２７５〜３２７８）を押すと、ファックスの場合はテンキーボード（３０５０）、その他はフルキーボード（３０４０）が表示され、入力可能になる。３２７９〜３２８２はそれぞれの送信方法の送信オプションを行うためのボタンであるが、ここでは詳細な説明は省略する。
【０１１７】
ＳＥＮＤメイン画面でＰｅｒｓｏｎクラスの宛先が選択されている状態でＥｄｉｔボタン（３２１０）が押された場合もＰｅｒｓｏｎクラス詳細サブ画面（３２９０）が表示される。詳細宛先入力領域（３２７５〜３２７８）の該当する領域に、選択された宛先の詳細が表示され、前述した方法でキーボードを表示すると、宛先の編集が可能になる。
【０１１８】
ＳＥＮＤメイン画面でＤａｔａ  Ｂａｓｅクラスの宛先が選択されている状態でＥｄｉｔボタン（３２１０）が押された場合、Ｄａｔａ  Ｂａｓｅクラス詳細サブ画面（３３１０）が表示される。データベースクラス詳細サブ画面にはデータベース名（３３１１）、フォルダリスト（３３１２）が表示される。
【０１１９】
ＳＥＮＤメイン画面でＧｒｏｕｐクラスの宛先が選択されている状態でＥｄｉｔボタン（３２１０）が押された場合Ｇｒｏｕｐクラス詳細サブ画面（３３２０）が表示される。Ｇｒｏｕｐクラス詳細サブ画面にはグループメンバー表示（３３２１）がされる。
【０１２０】
ＨＤ  ＳＥＴＴＩＮＧサブ画面（図４３）
Ｐｕｔ  Ｉｎｔｏ  ＨＤチェックボタン（３２１３）を押すと、ハードディスクに送信するための設定を行うＨＤ  ＳＥＴＴＩＮＧサブ画面（３３３０）が表示される。詳細説明は省略する。
【０１２１】
Ｐｒｉｎｔ  Ｏｕｔサブ画面（図４４）
Ｐｒｉｎｔ  Ｏｕｔチェックボタン（３２１４）を押すと、プリントアウトサブ画面（３３４０）が表示される。プリントアウトサブ画面ではプリント枚数、紙サイズ、拡大縮小率、両面印刷、ソート、解像度などを設定する。紙サイズ選択ボタン（３３４５）を押すと、紙サイズの一覧（図４５の３３６０）が表示され、そこから選択する。ソータ選択ボタン（３３５０）を押すと、選択可能なソータ一覧（図４６の３３６５）が表示される。
【０１２２】
Ｓｃａｎ  Ｓｅｔｔｉｎｇサブ画面（図４７）
Ｓｃａｎ  Ｓｅｔｔｉｎｇボタン（３２１５）を押すと、Ｓｃａｎ  Ｓｅｔｔｉｎｇサブ画面（３３７０）が表示される。Ｓｃａｎ  Ｓｅｔｔｉｎｇサブ画面内のＰｒｅｓｅｔモード選択領域（３３７１）からスキャン設定を１つ選択すると、それに対応する予め設定された解像度、スキャンモード、濃度がそれぞれの表示領域（３３７７、３３７９、３３８１）に表示される。これらの値は手動で変えることが可能である。図４８の３３９０は紙サイズ選択一覧をプルダウン表示した状態の画面で、この一覧から使用する紙のサイズ、向きを選択する。図４９の３３９１、図５０の３３９２はそれぞれ、解像度、スキャンモード一覧をプルダウン表示した状態を示している。
【０１２３】
ＲＥＴＲＩＥＶＥ画面（図５１）
ＲＥＴＲＩＥＶＥメイン画面（３４００）にはＷＷＷ（３４０１）、Ｅ−ｍａｉｌ（３４０２）、Ｆａｘ（３４０３）、ＦＴＰ（３４０４）のサブタブおよび各サブカテゴリーで共通に使用されるＰＵＴ  ＩＮＴＯ  ＨＤチェックボタン（３４０５）、ＰＲＩＮＴ  ＳＥＴＴＩＮＧボタン（３４０６）が表示される。サブタブを押すことによって対応するＷＷＷ、Ｅ−ｍａｉｌ、Ｆａｘ、ＦＴＰの各サブ画面が表示される。リセットを含む初期化時にはＷＷＷサブ画面が表示される。
【０１２４】
ＷＷＷサブ画面（図５１）
ＷＷＷサブ画面表示時にスタートボタンを押すと、画面上に表示されている各設定に従ってホームページが印刷される。ただし、ＵＲＬ入力領域に何も表示されていない時にスタートボタンが押されても何も機能しない。
【０１２５】
ＷＷＷサブ画面（３４００）上のＵＲＬ入力領域（３４１１）を押すと、フルキーボード（３０４０）が表示され、ＵＲＬの直接入力が可能になる。Ｌｉｎｋ  Ｄｅｐｔｈ（３４１２）およびＭａｘ  Ｐａｇｅｓ（３４１４）入力領域を押すと、テンキーボード（３０５０）が表示され、数値を直接入力することが可能になる。
【０１２６】
Ｂｏｏｋｍａｒｋサブ画面（図５５）
Ｂｏｏｋｍａｒｋボタン（３４１９）を押すと、Ｂｏｏｋｍａｒｋサブ画面（３４６０）が表示される。Ｂｏｏｋｍａｒｋサブ画面中のブックマーク表示領域（３４６１）には設定されているブックマークの一覧が表示され、どれか１つの行を押すことによって選択表示状態となる。ＯＫボタン（３４６６）を押すとＢｏｏｋｍａｒｋサブ画面がクローズされ、選択状態にあった項目に該当するＵＲＬがＷＷＷサブ画面のＵＲＬ入力領域に表示される。Ｂｏｏｋｍａｒｋサブ画面中のその他のボタンの機能の説明は省略する。
【０１２７】
Ｅ−ｍａｉｌサブ画面（図５２）
Ｅ−ｍａｉｌサブ画面（３４３０）ではＥ−ｍａｉｌを受け取るための設定を行う。各入力領域（３４３１〜３４３３）を押すとフルキーボード（３０４０）が表示され、入力可能になる。
【０１２８】
Ｆａｘサブ画面（図５３）
Ｆａｘサブ画面（３４４０）ではファックス番号の入力を行う。入力領域（３４４１）を押すと、テンキーボード（３０５０）が表示され、ファックス番号入力が可能になる。
【０１２９】
ＦＴＰ  Ｓｅｒｖｅｒサブ画面（図５４）
ＦＴＰ  Ｓｅｒｖｅｒサブ画面（３４５０）ではサーバからデータを受け取るための設定を行う。各入力領域（３４５１〜３４５３）を押すとフルキーボード（３０４０）が表示され、入力可能になる。
【０１３０】
ＨＤ  Ｓｅｔｔｉｎｇサブ画面
各カテゴリーに共通のＰｕｔ  Ｉｎｔｏ  ＨＤチェックボタン（３４０５）を押すと、ＨＤ  Ｓｅｔｔｉｎｇサブ画面（３３３０）が表示される。機能はＳｅｎｄのＨＤ  Ｓｅｔｔｉｎｇサブ画面と同様である。
【０１３１】
Ｐｒｉｎｔ  Ｓｅｔｔｉｎｇサブ画面（図５６）
各カテゴリーに共通のＰｒｉｎｔ  Ｓｅｔｔｉｎｇボタン（３４０６）を押すと、Ｐｒｉｎｔ  Ｓｅｔｔｉｎｇサブ画面（３４７０）が表示される。機能はＳｅｎｄのＰｒｉｎｔ  Ｏｕｔサブ画面と同様である。
【０１３２】
ＴＡＳＫＳ画面（図５７）
ＴＡＳＫＳ画面が表示されている状態でスタートキーが押されると、ＴＡＳＫＳ画面上で設定されたパラメータに従って、自動的なＲＥＴＲＩＥＶＥ動作が実行される。
【０１３３】
ＴＡＳＫＳメイン画面（３５００）にはＷＷＷ、Ｅ−ｍａｉｌ、Ｐｒｉｎｔ  Ｒｅｃｅｉｖｅ、Ｆａｘ  Ｒｅｃｅｉｖｅ、Ｆａｘ  Ｐｏｌｌｉｎｇのサブタブ（３５０１〜３５０５）が表示される。リセットを含む初期化時にはＷＷＷサブ画面（３５００）が表示される。
【０１３４】
ＷＷＷサブ画面（図５７）
ＷＷＷタスク一覧表示領域（３５１１）には機器内に保持されているタスクが入力された順番で表示されている。実際に実行する必要のあるタスクには選択マークを付加する。選択マークが表示されていないタスクはタスクとして機器内に保持されているが、実際には実行されない。
【０１３５】
Ｎｅｗボタン（３５１３）を押すと、ＷＷＷタスク詳細サブ画面（図５８の３５２０）が表示され、新規にタスクの入力が可能となる。ＷＷＷタスク詳細サブ画面については後述する。
【０１３６】
ＷＷＷタスク一覧から１つタスクを選択した状態でＥｄｉｔボタン（３５１４）を押すと、選択されているタスク情報が含まれるＷＷＷタスク詳細サブ画面（３５２０）が表示され、設定を編集することが可能になる。
【０１３７】
ＷＷＷタスク一覧から１つタスクを選択した状態でＤｅｌｅｔｅボタン（３５１５）を押すと、選択されたタスクは削除される。
【０１３８】
ＷＷＷタスク詳細サブ画面（図５８）
ＷＷＷタスク詳細サブ画面（３５２０）にはＲＥＴＲＩＥＶＥメイン画面とＲＥＴＲＩＥＶＥのＷＷＷサブ画面に共通の機能を持つコンポーネント（３５２１〜３５３３）、チェックタイム表示領域（３５３４）、チェックタイム設定ボタン（３５３５）、ＰＲＩＮＴ  ＷＨＥＮ  ＣＨＡＮＧＥＤチェックボタン（３５３６）、転送チェックボタン（３５３７）、ＯＫボタン（３５３９）、キャンセルボタン（３５３８）が表示される。ＲＥＴＲＩＥＶＥと共通の部分の説明は省略する。
【０１３９】
チェックタイム表示領域（３５３４）は、ＷＷＷタスク設定サブ画面がＮｅｗボタンによって表示された場合は空白、Ｅｄｉｔボタンによって表示された場合は設定されていたタスク実行時刻が表示されている。また、後述するチェックタイムサブ画面で設定が行われた直後は設定されたタスク実行時刻が表示される。
【０１４０】
チェックタイム設定ボタン（３５３５）が押されると後述するチェックタイムサブ画面が表示され、タスクを実行するタイミングを設定することが可能になる。
【０１４１】
チェックタイムサブ画面（図５９、図６０、図６１））
チェックタイムサブ画面（３５５０）にはスケジュールモード設定ボタン（３５５１〜３５５３）、時刻入力領域（３５５４）、ＯＫボタン（３５５８）、キャンセルボタン（３５５７）が表示される。その他にスケジュールモード設定ボタンのうち、Ｏｎｃｅボタン（３５５１）が選択されている場合は月入力領域（３５５５）、日付入力領域（３５５６）が表示される。Ｗｅｅｋｌｙボタン（３５５２）選択時は曜日設定チェックボタン（３５６１）が表示される。Ｍｏｎｔｈｌｙボタン（３５５３）選択時は日付入力領域（３５７１）が表示される。それぞれの入力領域を押すと、テンキーボード（３０５０）が表示され、数値の入力が可能になる。曜日設定チェックボタンは複数の曜日の選択が可能である。
【０１４２】
ＭＧＭＴ画面（図６２）
３６００はＭａｎａｇｅｍｅｎｔ画面である。詳細な説明は省略する。
【０１４３】
ＣＯＮＦＩＧ画面（図６３）
３７００はＣｏｎｆｉｇｕｒａｔｉｏｎ画面である。詳細な説明は省略する。
【０１４４】
フルキーボード（図２０）
フルキーボード（３０４０）は文字の入力領域が押されたときに表示される。ｗｗｗ．ボタン（３０４１）、ｃｏｍボタン（３０４２）を押すと、それぞれ“ｗｗｗ．”、“ｃｏｍ”の文字が入力される。その他のキーは従来通りの機能であるため、説明は省略する。
【０１４５】
テンキーボード（図２１）
テンキーボード（３０５０）は数値入力領域または月入力領域が押されたときに表示される。各キーについての説明は省略する。
【０１４６】
エラー画面（図１９）
エラー画面（３０３０）は何らかのエラーがあった場合に表示される。
【０１４７】
エラー画面にはエラーメッセージをテキストで表示するメッセージ表示領域（３０３１）、エラー画面をクローズするためのＯＫボタン（３０３２）が含まれる。
【０１４８】
Ｄｅｖｉｃｅ  Ｉｎｆｏｒｍａｔｉｏｎ  Ｓｅｒｖｉｃｅ（ＤＩＳ）
コントローラ内でジョブに対する設定値、デバイス（スキャナ、プリンタなど）の機能、ステータス、課金情報等をＣｏｎｔｒｏｌ  ＡＰＩに準拠したデータ形態で保持するデータベースと、そのデータベースとのＩ／ＦをＤｅｖｉｃｅＩｎｆｏｒｍａｔｉｏｎＳｅｒｖｉｃｅ（以下、ＤＩＳと呼称する）として定義している。図６５にＤＩＳ７１０２とＪｏｂＭａｎａｇｅｒ７１０１、及びＳｃａｎ、Ｐｒｉｎｔの各ＤｏｃｕｍｅｎｔＭａｎａｇｅｒ７１０３、７１０４とのやり取りを示す。
【０１４９】
基本的に、Ｊｏｂの開始命令など動的な情報はＪｏｂＭａｎａｇｅｒ７１０１から各ＤｏｃｕｍｅｎｔＭａｎａｇｅｒに直接指示され、デバイスの機能やジョブの内容など静的な情報はＤＩＳ７１０２を参照する。各ＤｏｃｕｍｅｎｔＭａｎａｇｅｒからの静的、動的情報、イベントはＤＩＳ７１０２を介してＪｏｂＭａｎａｇｅｒ７１０１に伝えられる。
【０１５０】
各ＤｏｃｕｍｅｎｔＭａｎａｇｅｒからＤＩＳのデータベースにデータの設定、取得を行う場合、ＤＩＳの内部データ形式がＣｏｎｔｒｏｌ  ＡＰＩ準拠であることから、Ｃｏｎｔｒｏｌ  ＡＰＩに準拠したデータ形式と各ＤｏｃｕｍｅｎｔＭａｎａｇｅｒが理解できるデータ形式との相互の変換処理を行う。例えば、各ＤｏｃｕｍｅｎｔＭａｎａｇｅｒからステータスデータの設定を行う場合、デバイス固有のデータを解釈し、Ｃｏｎｔｒｏｌ  ＡＰＩで定義される対応するデータに変換し、ＤＩＳのデータベースへ書き込みを行う。
【０１５１】
ＪｏｂＭａｎａｇｅｒからＤＩＳのデータベースにデータの設定、取得を行う場合には、ＪｏｂＭａｎａｇｅｒとＤＩＳの間でデータの変換は生じない。
【０１５２】
またＤＩＳには、ＤｏｃｕｍｅｎｔＭａｎａｇｅｒから通知される各種イベント情報に基づき、イベントデータの更新が行われる。
【０１５３】
図６６にＤＩＳ内部に保持される各種データベース（以下、ＤＢと呼称する）を示し、それぞれのＤＢについて説明する。図６６中の丸角長方形は個々のＤＢを表している。
【０１５４】
７２０１はＳｕｐｅｒｖｉｓｏｒＤＢであり、機器全体についてのステータスやユーザ情報を保持しているＤＢであり、ユーザＩＤやパスワード等、バックアップが必要な情報はＨＤ装置、あるいはバックアップメモリなどの不揮発性の記憶装置に保持される。
【０１５５】
７２０２はＳｃａｎＣｏｍｐｏｎｅｎｔＤＢ、７２０３はＰｒｉｎｔＣｏｍｐｏｎｅｎｔＤＢであり、これらＣｏｍｐｏｎｅｎｔＤＢは存在するＣｏｍｐｏｎｅｎｔ毎に対応して保持される。例えば、プリンタのみからなる機器の場合はＰｒｉｎｔＣｏｍｐｏｎｅｎｔＤＢのみが存在し、また例えば、ＦＡＸを備えた機器の場合はＦＡＸＣｏｍｐｏｎｅｎｔＤＢが保持される。各ＣｏｍｐｏｎｅｎｔＤＢには初期化時に、それぞれ対応するＤｏｃｕｍｅｎｔＭａｎａｇｅｒがＣｏｍｐｏｎｅｎｔの機能やステータスを設定する。
【０１５６】
７２０４はＳｃａｎＪｏｂＳｅｒｖｉｃｅＤＢ、７２０５はＰｒｉｎｔＪｏｂＳｅｒｖｉｃｅＤＢであり、これらのＪｏｂＳｅｒｖｉｃｅＤＢもＣｏｍｐｏｎｅｎｔＤＢ同様、初期化時にそれぞれ対応するＤｏｃｕｍｅｎｔＭａｎａｇｅｒが機器で使用できる機能や、それらのサポート状況を設定する。
【０１５７】
次にＪｏｂＤＢ、ＤｏｃｕｍｅｎｔＤＢについて説明する。７２０６はＳｃａｎＪｏｂＤＢ、７２０７はＰｒｉｎｔＪｏｂＤＢの各ＪｏｂＤＢ、７２０８はＳｃａｎＤｏｃｕｍｅｎｔＤＢ、７２０９はＰｒｉｎｔＤｏｃｕｍｅｎｔＤＢである。
【０１５８】
ＪｏｂＤＢ、ＤｏｃｕｍｅｎｔＤＢはＪｏｂとそれに付随するＤｏｃｕｍｅｎｔが生成される度にＪｏｂＭａｎａｇｅｒにより動的に確保、初期化が行われ、必要な項目の設定が行われる。各ＤｏｃｕｍｅｎｔＭａｎａｇｅｒはＪｏｂの処理開始前にＪｏｂＤＢ、およびＤｏｃｕｍｅｎｔＤＢから処理に必要な項目を読み出し、Ｊｏｂを開始する。その後、Ｊｏｂが終了するとこれらのＪｏｂ、及びそれに付随していたＤｏｃｕｍｅｎｔのＤＢは解放される。Ｊｏｂは１つ以上のＤｏｃｕｍｅｎｔを持つので、あるＪｏｂに対して複数のＤｏｃｕｍｅｎｔＤＢが確保される場合がある。
【０１５９】
７２１０は各ＤｏｃｕｍｅｎｔＭａｎａｇｅｒから通知されるイベント情報を保持するデータベース、７２１１は装置のＳｃａｎ回数、Ｐｒｉｎｔ回数を記録するためのカウンタテーブルである。
【０１６０】
ＤｏｃｕｍｅｎｔＭａｎａｇｅｒから通知されるイベントには、ＳｃａｎＤｏｃｕｍｅｎｔＭａｎａｇｅｒからのＣｏｍｐｏｎｅｎｔの状態遷移、Ｓｃａｎ処理動作完了や各種のエラー、またＰｒｉｎｔＤｏｃｕｍｅｎｔＭａｎａｇｅｒからのＣｏｍｐｏｎｅｎｔの状態遷移、Ｐｒｉｎｔ処理動作完了、紙詰まり、給紙カセットオープンなどがあり、それぞれのイベントを識別するためのイベントＩＤが予め定められている。
【０１６１】
ＤｏｃｕｍｅｎｔＭａｎａｇｅｒからイベントが発行された場合、ＤＩＳはイベントデータベース７２１１に発行されたイベントＩＤと必要なら該イベントに付随する詳細データを登録する。また、ＤｏｃｕｍｅｎｔＭａｎａｇｅｒからイベントの解除が通知された場合、解除指定されたイベントデータをイベントデータベース７２１１から削除する。
【０１６２】
ＪｏｂＭａｎａｇｅｒよりイベントのポーリングが行われた場合、ＤＩＳはイベントデータベース７２１０を参照し、現在発生しているイベントＩＤと必要ならイベントに付随する詳細データをＪｏｂＭａｎａｇｅｒへ返信し、現在イベントが発生していなければその旨を返信する。
【０１６３】
また、Ｓｃａｎ処理動作完了、Ｐｒｉｎｔ処理動作完了のイベントが通知された場合はＳｃａｎ、Ｐｒｉｎｔを行ったユーザのカウンタ値を更新する。このソフトウェアによるカウンタは不慮の電源遮断などでその値が失われないように、バックアップされたメモリ装置やＨＤ装置の不揮発性記憶装置にその値が更新されるたびに書き戻す。
【０１６４】
スキャン動作
以下にスキャン動作の詳細について説明する。図６７はスキャン動作に関するブロックの概念図である。ＰＣＩバス８１０５にＣＰＵ８１０１とメモリ８１０２、画像の圧縮・伸長ボード８１０４、及びスキャナ８１０７と、このシステムを接続するためのＩ／Ｆを提供するＳＣＳＩ  Ｉ／Ｆ回路８１０３が接続されている。ＳＣＳＩ  Ｉ／Ｆ回路８１０３とスキャナ（または複合機能を有する複写機のスキャナ機能ユニット）８１０７はＳＣＳＩインターフェースケーブル８１０６で接続されている。
【０１６５】
またＰＣＩバス８１０５にはＩＤＥ  Ｃｏｎｔｒｏｌｌｅｒ８１０８が接続されており、ＩＤＥ  Ｃａｂｌｅ８１０９を介してＩＤＥ  Ｈａｒｄ  Ｄｉｓｋ８１１０と接続されている。図６８はスキャン動作に関するソフトウェア構造を示したものである。ＪｏｂＭａｎａｇｅｒ８２０１はアプリケーションレベルの要求を分類、保存する機能を持つ。ＤＩＳ８２０２はアプリケーションレベルからのスキャン動作に必要なパラメータを保存する。アプリケーションからの要求はメモリ８１０２に保存される。スキャン動作管理部８２０３はＪｏｂＭａｎａｇｅｒ８２０１とＤＩＳ８２０２からスキャンを行うのに必要な情報を取得する。スキャン動作管理部８２０３はＪｏｂＭａｎａｇｅｒ８２０１から図６９のジョブ番号、ドキュメント番号のテーブルデータ８３０１を受け取り、ジョブ番号、ドキュメント番号のテーブルデータ８３０１を元に、ＤＩＳ８２０２よりスキャンパラメータ８３０２をうけとる。これによりアプリケーションから要求されているスキャン条件を元にスキャンを行う。
【０１６６】
スキャン動作管理部８２０３はＤＩＳ８２０２から取得したスキャンパラメータ８３０２をドキュメント番号順にスキャンシーケンス制御部８２０４に渡す。スキャンパラメータ８３０２を受け取ったスキャンシーケンス制御部８２０４はスキャン画像属性８３０８の内容に従ってＳＣＳＩ制御部８２０７をコントロールする。これにより図６７のＰＣＩ８１０５に接続されたＳＣＳＩ  Ｃｏｎｔｒｏｌｌｅｒ８１０３を動作させることにより、ＳＣＳＩケーブル８１０６を介してＳｃａｎｎｅｒ８１０７にＳＣＳＩ制御コマンドを送ることによりスキャンが実行される。スキャンした画像はＳＣＳＩ  Ｃａｂｌｅ８１０６を介してＳＣＳＩ  Ｃｏｎｔｒｏｌｌｅｒ８１０３にわたり、さらにＰＣＩ８１０５を介してＭｅｍｏｒｙ８１０２に格納される。
【０１６７】
スキャンシーケンス制御部８２０４はスキャンが終了し、ＰＣＩ８１０５を介してＭｅｍｏｒｙ８１０２に画像が格納された時点で、スキャンパラメータ８３０２のスキャン画像圧縮形式８３０９の内容にしたがって、Ｍｅｍｏｒｙ８１０２に格納されているスキャン画像を圧縮するために、圧縮・伸長制御部８２０５に対して要求を出す。要求を受け取った圧縮・伸長制御部８２０５はＰＣＩ８１０５に接続されているＣＯＤＥＣ８１０４を用いて、スキャンシーケンス制御部８２０４からのスキャン画像圧縮形式８３０９の指定で圧縮を行う。圧縮・伸長制御部８２０５は圧縮された画像をＰＣＩ８１０５を介してＭｅｍｏｒｙ８１０２に格納する。
【０１６８】
スキャンシーケンス制御部８２０４は圧縮・伸長制御部８２０５がスキャン画像圧縮形式８３０９で指定された形式にスキャン画像を圧縮し、Ｍｅｍｏｒｙ８１０２に格納した時点で、スキャンパラメータ８３０２の画像ファイルタイプ８３０７にしたがってＭｅｍｏｒｙ８１０２に格納されている圧縮されたスキャン画像をファイル化する。スキャンシーケンス制御部８２０４はファイルシステム８２０６に対して、スキャンパラメータ８３０２の画像ファイルタイプ８３０７で指定されたファイル形式でファイル化することを要求する。
【０１６９】
ファイルシステム８２０６はスキャンシーケンス制御部８２０４からの画像ファイルタイプ８３０７にしたがって、Ｍｅｍｏｒｙ８１０２に格納されている圧縮された画像をファイル化し、ＰＣＩ８１０５を介してＩＤＥ  Ｃｏｎｔｒｏｌｌｅｒ８１０８に転送し、ＩＤＥ  Ｃａｂｌｅ８１０９を介してＩＤＥ  Ｈａｒｄ  Ｄｉｓｋ８１１０に転送することによりスキャンされた圧縮画像をファイル化する。スキャンシーケンス制御部８２０４はファイルシステム８２０６がＩＤＥ  Ｈａｒｄ  Ｄｉｓｋ８１１０にファイル化された画像を格納した時点で、Ｓｃａｎｎｅｒ８１０７上の一枚の現行の処理が終了したとして、スキャン動作管理部８２０３にスキャン終了通知を送り返す。
【０１７０】
この時点でＳｃａｎｎｅｒ８１０７上にまだスキャンが行われていない原稿が存在し、Ｊｏｂ  Ｍａｎａｇｅｒ８２０１からスキャン要求が存在する場合には再度、ＤＩＳ８２０２に格納されているスキャンパラメータ８３０２を用いてスキャンシーケンス制御部にスキャン動作を要求する。
【０１７１】
Ｓｃａｎｎｅｒ８１０７上にスキャンされていない原稿が存在しない場合、またはＪｏｂＭａｎａｇｅｒ８２０１からのスキャン要求が存在しない場合には、スキャン動作が終了したものとしてＪｏｂＭａｎａｇｅｒ８２０１に対してスキャン終了通知を発行する。
【０１７２】
プリント動作
以下でプリント動作について詳細に説明する。
【０１７３】
図７０はプリント動作に関するブロックの概念図である。ＰＣＩバス９００５にＣＰＵ９００１とメモリ９００２、画像の圧縮・伸張ボード９００４、及びプリンタ９００７と、このシステムを接続するためのＩ／Ｆを提供するＥｎｇｉｎｅＩ／Ｆボード９００３が接続されている。ＥｎｇｉｎｅＩ／Ｆボード９００３とプリンタ（または複合機能を有する複写機のプリンタ機能ユニット）９００７はエンジンインターフェースケーブル９００６で接続されている。
【０１７４】
ＥｎｇｉｎｅＩ／Ｆボードは内部にＤＰＲＡＭを持ち、このＤＰＲＡＭを介してプリンタへのパラメータ設定及びプリンタの状態読み出しと、プリントの制御コマンドのやりとりを行う。またこのボードはＶｉｄｅｏコントローラを持ち、プリンタからエンジンインターフェースケーブル経由で与えられるＶＣＬＫ（ＶｉｄｅｏＣｌｏｃｋ）とＨＳＹＮＣに合わせて、ＰＣＩ上に展開されているイメージデータをエンジンインターフェースケーブルを介してプリンタに送信する。この送信のタイミングを図で表すと図７１の様になる。ＶＣＬＫは常に出続け、ＨＳＹＮＣがプリンタの１ラインの開始に同期して与えられる。Ｖｉｄｅｏコントローラは設定された画像幅（ＷＩＤＴＨ）分のデータを、設定されたＰＣＩ上のメモリ（ＳＯＵＲＣＥ）から読み出して、Ｖｉｄｅｏ信号としてエンジンインターフェースケーブルに出力する。これを指定ライン分（ＬＩＮＥＳ）繰り返した後、ＩＭＡＧＥ＿ＥＮＤ割り込みを発生する。
【０１７５】
先に説明したとおり、ＣＰＵ上のアプリケーションプログラムからＣｏｎｔｒｏｌｌＡＰＩにプリントジョブの指示が渡されると、ＣｏｎｔｒｏｌｌＡＰＩはこれをコントローラレベルのＪｏｂＭａｎａｇｅｒにジョブとして渡す。さらにこのＪｏｂＭａｎａｇｅｒはジョブの設定をＤＩＳに格納し、ＰｒｉｎｔＭａｎａｇｅｒにジョブの開始を指示する。ＰｒｉｎｔＭａｎａｇｅｒはジョブを受け付けるとＤＩＳからジョブ実行に必要な情報を読み出し、ＥｎｇｉｎｅＩ／Ｆボード及び、ＤＰＲＡＭを介してプリンタに設定する。
【０１７６】
ＥｎｇｉｎｅＩ／Ｆボードの設定項目を図７２に、プリンタのＤＰＲＡＭを介した設定項目及び制御コマンド、状態コマンドを図７３に示す。
【０１７７】
簡単のためにこのジョブを非圧縮、レター（１１″ｘ８．５″）サイズ２値画像の、２ページ１部プリント、プリンタが６００ｄｐｉの性能を持つものとして、具体的に動作を説明する。
【０１７８】
まず、このジョブを受けるとＰｒｉｎｔＭａｎａｇｅｒはこの画像の幅（この場合８．５″の側とする）の画像バイト数を算出する。
【０１７９】
ＷＩＤＴＨ＝８．５×６００÷８≒６３０（Ｂｙｔｅｓ）
次にライン数を演算する。
【０１８０】
ＬＩＮＥＳ＝１１×６００＝６６００（Ｌｉｎｅｓ）
これらの算出した値と、与えられた１ページ目の画像が格納されているＳＯＵＲＣＥアドレスとを図７２に示したＷＩＤＴＨ，ＬＩＮＥＳ，ＳＯＵＲＣＥに設定する。この時点でＥｎｇｉｎｅＩ／Ｆボードは画像出力の用意が完了しているが、プリンタからのＨＳＹＮＣ信号が来ていないため（ＶＣＬＫは来ている）画像データを出力していない。
【０１８１】
次にＰｒｉｎｔＭａｎａｇｅｒは図７３に示したＤＰＲＡＭの所定のアドレス（ＢｏｏｋＮｏ）に出力部数である１を書き込む。その後、１ページ目に対する出力用紙の給紙要求（ＦＥＥＤ＿ＲＥＱ）を出し、プリンタからのＩＭＡＧＥ＿ＲＥＱを待つ。プリンタからＩＭＡＧＥ＿ＲＥＱが来たら、ＩＭＡＧＥ＿ＳＴＡＲＴを出す。これを受けてプリンタはＨＳＹＮＣを出し始め、ＨＳＹＮＣ待ちであったＥｎｇｉｎｅＩ／Ｆボードは画像を出力する。プリンタは出力用紙の後端を検出すると、ＩＭＡＧＥ＿ＥＮＤを出力し、出力用紙が排出されるとＳＨＥＥＴ＿ＯＵＴを出力する。ＰｒｉｎｔＭａｎａｇｅｒは１ページ目のＩＭＡＧＥ＿ＥＮＤを受けて、２ページ目のＷＩＤＴＨ，ＬＩＮＥＳ，ＳＯＵＲＣＥをＥｎｇｉｎｅＩ／Ｆボードに設定し、ＦＥＥＤ＿ＲＥＱを出して、ＩＭＡＧＥ＿ＲＥＱを待つ。２ページ目のＩＭＡＧＥ＿ＲＥＱが来てからの動作は、１ページめと同様である。
【０１８２】
[機密設定モード自動切り換えの説明]
続いて、本発明の構成の装置において機密原稿をコピーする場合について図３による流れ図と、図１、図２の操作画面図を用いて説明する。
【０１８３】
まず５０１、５０２にてユーザがスキャナ２０７０に原稿をセットする。５０３にて、スキャナに接続されている機密情報読み込み部２０７５が原稿に付加されている機密識別情報の読み取りを行い、その読み取り結果をＳｅｃｕｒｉｔｙＩ／Ｆ１５２８経由にて、Ｓｅｃｕｒｉｔｙ  Ａｐｐｌｉｃａｔｉｏｎ１５１１に通知する。ここで、原稿に機密識別情報を付加する手段として原稿メディアに埋め込み可能な形状で、無線によってメモリ内容を読み出し・書き込み可能な記憶手段を用いている。そのため、５０３における機密原稿か否かの判定は原稿メディアと機密情報読み込み部２０７５が無線にて通信可能な距離にあれば良いため、原稿を特定の位置にセットしたり、物理的に接触させる必要はない。なお、これ以外の機密識別情報を付加する手段としては磁気、あるいは原稿画像に電子透かしを用いるなどの方法も実施可能であるが、ここでは実施例の説明を割愛する。
【０１８４】
５０３での機密原稿か否かの判定の結果、機密情報読み取り部２０７５で機密を示す情報を読み出すことができなかった場合、５０９にて機密コピー設定ではなく通常のコピー設定画面として、コピースタートを受け付ける。５０９にてユーザがコピーキーを押下すると、５１０でスキャナ２０７０にて原稿を読み込み、５１１でユーザが指定したコピー出力設定に基づいてプリント出力を行い、終了する。
【０１８５】
５０３で機密原稿であると判定した場合、ＳｅｃｕｒｉｔｉＩ／Ｆ１５２８からＳｅｃｕｒｉｔｙ  Ａｐｐｌｉｃａｔｉｏｎ１５１１にその結果が通知され、Ｓｅｃｕｒｉｔｙ  Ａｐｐｌｉｃａｔｉｏｎ１５１１はＵＩ１５０１に対して、ＵＩ表示を機密コピー設定画面図１へ切り替えさせ、ユーザに機密原稿をコピーしようとしていることを通知するとともに、機密コピーモードへ遷移する旨表示する。すなわち、機密原稿を検知すると装置は自動的に機密コピーモードへと操作画面を遷移させる。ユーザは図１のＵＩ表示に対して、取り消しボタン１０１を押下してコピーを中止するか、確認ボタン１０２を押下して引き続き機密コピー設定へ進むかを選択する。ユーザが確認ボタン１０２を押下すると、ＵＩ１５０１は機密コピー出力設定モード画面、図２へと遷移し、ここでユーザは機密原稿のコピー出力に対していずれかの機密識別情報付加方法を選択する。
【０１８６】
図２では２０１にメディア埋め込み式の無線によってデータを読み書き可能なメモリチップへの機密識別情報書き込みを、２０２では電子透かしによる機密情報書き込みを、２０３ではウオーターマークによって機密マークを出力する設定を、それぞれ示しており、図２では２０３ウオーターマークが選択されている状態である。続いてユーザが機密出力設定を決定し、ＯＫボタン２０４を押下すると、次に図２２の通常のコピー設定画面へと遷移する。５０５にてユーザがコピー設定を行った後にスタートキーを押下すると、５０７にて原稿をスキャンし、５０８ではプリントメディア上にプリンタ２０９５は画像形成するとともに、２０９７機密情報書き込み部は機密識別情報をユーザが図２の画面にて選択した方式によって書きこみながらプリント出力を行い、５１２にて終了する。
【０１８７】
上記実施例のとおり、本発明の構成においてはコピーしようとする原稿が機密原稿である場合、コピー出力物には必ず機密情報であることを判別可能な識別情報が付加されるのである。
【図面の簡単な説明】
【０１８８】
【図１】原稿が機密原稿であることを検知した場合のＵＩ画面を示す図
【図２】機密出力設定のＵＩ画面
【図３】本発明の装置におけるコピー動作の流れ図
【図４】本発明のネットワークシステム全体の構成図
【図５】本システムのソフトウェアの全体構成図
【図６】本システムの全体ブロック図
【図７】スキャナ部、プリンタ部、及び操作部の外形図
【図８】操作部を示す図
【図９】スキャナ画像処理部のブロック図
【図１０】プリンタ画像処理部のブロック図
【図１１】画像圧縮処理部のブロック図
【図１２】画像回転部のブロック図
【図１３】画像回転処理の説明図
【図１４】画像回転処理の説明図
【図１５】デバイスＩ／Ｆ部のブロック図
【図１６】操作部全体図
【図１７】操作部の画面を示す図
【図１８】操作部の画面を示す図
【図１９】操作部の画面を示す図
【図２０】操作部の画面を示す図
【図２１】操作部の画面を示す図
【図２２】操作部の画面を示す図
【図２３】操作部の画面を示す図
【図２４】操作部の画面を示す図
【図２５】操作部の画面を示す図
【図２６】操作部の画面を示す図
【図２７】操作部の画面を示す図
【図２８】操作部の画面を示す図
【図２９】操作部の画面を示す図
【図３０】操作部の画面を示す図
【図３１】操作部の画面を示す図
【図３２】操作部の画面を示す図
【図３３】操作部の画面を示す図
【図３４】操作部の画面を示す図
【図３５】操作部の画面を示す図
【図３６】操作部の画面を示す図
【図３７】操作部の画面を示す図
【図３８】操作部の画面を示す図
【図３９】操作部の画面を示す図
【図４０】操作部の画面を示す図
【図４１】操作部の画面を示す図
【図４２】操作部の画面を示す図
【図４３】操作部の画面を示す図
【図４４】操作部の画面を示す図
【図４５】操作部の画面を示す図
【図４６】操作部の画面を示す図
【図４７】操作部の画面を示す図
【図４８】操作部の画面を示す図
【図４９】操作部の画面を示す図
【図５０】操作部の画面を示す図
【図５１】操作部の画面を示す図
【図５２】操作部の画面を示す図
【図５３】操作部の画面を示す図
【図５４】操作部の画面を示す図
【図５５】操作部の画面を示す図
【図５６】操作部の画面を示す図
【図５７】操作部の画面を示す図
【図５８】操作部の画面を示す図
【図５９】操作部の画面を示す図
【図６０】操作部の画面を示す図
【図６１】操作部の画面を示す図
【図６２】操作部の画面を示す図
【図６３】操作部の画面を示す図
【図６４】組み込みアプリケーション説明のブロック図
【図６５】ＤＩＳとＪｏｂＭａｎａｇｅｒ、ＰｒｉｎｔＭａｎａｇｅｒ、ＳｃａｎＭａｎａｇｅｒとのやり取りを示す図
【図６６】ＤＩＳ内部のデータベース、及びカウンタを示す図
【図６７】スキャンに関するハードウェア制御のブロック図
【図６８】スキャンにおけるソフトウェア制御のブロック図
【図６９】スキャンにおけるパラメータテーブルの概略図
【図７０】プリントに関するブロック図
【図７１】プリントイメージデータの転送タイミング図
【図７２】ＥｎｇｉｎｅＩ／Ｆボード内のプリントパラメータレジスタ表を示す図
【図７３】プリンタとＥｎｇｉｎｅＩ／Ｆボードとの通信コマンド表を示す図
【符号の説明】
【０１８９】
２０００  コントローラユニット
２００１  ＣＰＵ
２００２  ＲＡＭ
２００３  ＲＯＭ
２００４  ＨＤＤ
２００５  Ｉｍａｇｅ  Ｂｕｓ  Ｉ／Ｆ
２００６  Ｉ／Ｆ
２０１０  ネットワーク
２０２０  デバイスＩ／Ｆ
２０５０  モデム
【図１】
2006253989.tif 000003
【図２】
2006253989.tif 000004
【図３】
2006253989.tif 000005
【図４】
2006253989.tif 000006
【図５】
2006253989.tif 000007
【図６】
2006253989.tif 000008
【図９】
2006253989.tif 000009
【図１０】
2006253989.tif 000010
【図１１】
2006253989.tif 000011
【図１２】
2006253989.tif 000012
【図１３】
2006253989.tif 000013
【図１５】
2006253989.tif 000014
【図６４】
2006253989.tif 000015
【図６５】
2006253989.tif 000016
【図６６】
2006253989.tif 000017
【図６７】
2006253989.tif 000018
【図６８】
2006253989.tif 000019
【図６９】
2006253989.tif 000020
【図７０】
2006253989.tif 000021
【図７１】
2006253989.tif 000022
【図７２】
2006253989.tif 000023
【図７３】
2006253989.tif 000024
【図７】
2006253989.tif 000025
【図８】
2006253989.tif 000026
【図１４】
2006253989.tif 000027
【図１６】
2006253989.tif 000028
【図１７】
2006253989.tif 000029
【図１８】
2006253989.tif 000030
【図１９】
2006253989.tif 000031
【図２０】
2006253989.tif 000032
【図２１】
2006253989.tif 000033
【図２２】
2006253989.tif 000034
【図２３】
2006253989.tif 000035
【図２４】
2006253989.tif 000036
【図２５】
2006253989.tif 000037
【図２６】
2006253989.tif 000038
【図２７】
2006253989.tif 000039
【図２８】
2006253989.tif 000040
【図２９】
2006253989.tif 000041
【図３０】
2006253989.tif 000042
【図３１】
2006253989.tif 000043
【図３２】
2006253989.tif 000044
【図３３】
2006253989.tif 000045
【図３４】
2006253989.tif 000046
【図３５】
2006253989.tif 000047
【図３６】
2006253989.tif 000048
【図３７】
2006253989.tif 000049
【図３８】
2006253989.tif 000050
【図３９】
2006253989.tif 000051
【図４０】
2006253989.tif 000052
【図４１】
2006253989.tif 000053
【図４２】
2006253989.tif 000054
【図４３】
2006253989.tif 000055
【図４４】
2006253989.tif 000056
【図４５】
2006253989.tif 000057
【図４６】
2006253989.tif 000058
【図４７】
2006253989.tif 000059
【図４８】
2006253989.tif 000060
【図４９】
2006253989.tif 000061
【図５０】
2006253989.tif 000062
【図５１】
2006253989.tif 000063
【図５２】
2006253989.tif 000064
【図５３】
2006253989.tif 000065
【図５４】
2006253989.tif 000066
【図５５】
2006253989.tif 000067
【図５６】
2006253989.tif 000068
【図５７】
2006253989.tif 000069
【図５８】
2006253989.tif 000070
【図５９】
2006253989.tif 000071
【図６０】
2006253989.tif 000072
【図６１】
2006253989.tif 000073
【図６２】
2006253989.tif 000074
【図６３】
2006253989.tif 000075